(57)【要約】  【課題】  従来より小型かつ低コストの構成であっても、第１の信号光と第２の信号光とを多重化することができる光モジュールを提供する。  【解決手段】  光モジュール１は、ＷＤＭフィルタ１２に導光されたＬＤ１１の出射光は、ＷＤＭフィルタ１２を透過し、その進行方向を変えることなく光出力部１７へ導光される（破線Ｌ１）。一方、ＷＤＭフィルタ１２に導光された光入力部１６からの出射光は、ＷＤＭフィルタ１２で反射され、その進行方向を９０°変えて光出力部１７へ導光される（一点鎖線Ｌ２）。したがって、ＬＤ１１の出射光と光入力部１６からの出射光とが、筐体１０内に設けたＷＤＭフィルタ１２によって多重化されるため、極めて小型で低価格であるにもかかわらず、多重化された信号光を送信することができる。【選択図】        図１
2005316291.tif 000002
【特許請求の範囲】
【請求項１】
波長の異なる複数の信号光を多重化する光モジュールにおいて、
第１の信号光を発光する発光素子と、
第２の信号光を入力する入力部と、
前記発光素子から発光された第１の信号光及び前記入力部に入力された第２の信号光のうちの一方の信号光の光軸方向を、他方の信号光の光軸方向に転向して、前記第１の信号光及び前記第２の信号光を多重化する多重化手段と、
該多重化手段により多重化された前記第１の信号光及び前記第２の信号光を出力する出力部と
を備えることを特徴とする光モジュール。
【請求項２】
波長の異なる複数の信号光を多重化する光モジュールにおいて、
第１の信号光を発光する発光素子と、
第２の信号光を入力する入力部と、
前記発光素子から発光された第１の信号光及び前記入力部に入力された第２の信号光のうちの一方の信号光の光軸方向を、他方の信号光の光軸方向に転向して、前記第１の信号光及び前記第２の信号光を多重化する多重化手段と、
該多重化手段により多重化された前記第１の信号光及び前記第２の信号光の出力、並びに第３の信号光の入力のための入出力部と、
該入出力部に入力された第３の信号光を受光する受光素子と、
前記入出力部に入力された第３の信号光が前記受光素子に受光されるように、前記第３の信号光の光軸方向を転向する手段と
を備えることを特徴とする光モジュール。
【請求項３】
波長の異なる複数の信号光を多重化する光モジュールにおいて、
第１の信号光を発光する発光素子と、
第２の信号光の入力及び第３の信号光の出力のための第１の入出力部と、
前記発光素子から発光された第１の信号光及び前記第１の入出力部に入力された第２の信号光のうちの一方の信号光の光軸方向を、他方の信号光の光軸方向に転向して、前記第１の信号光及び前記第２の信号光を多重化する多重化手段と、
該多重化手段により多重化された前記第１の信号光及び前記第２の信号光の出力、並びに第３の信号光の入力のための第２の入出力部とを備え、
前記多重化手段は、前記第２の入出力部に入力された第３の信号光を前記第１の入出力部へ導光するように構成されていること
を特徴とする光モジュール。
【請求項４】
波長の異なる複数の信号光を多重化する光モジュールにおいて、
第１の信号光を発光する発光素子と、
第２の信号光の入力及び第３の信号光の出力のための第１の入出力部と、
前記発光素子から発光された第１の信号光及び前記第１の入出力部に入力された第２の信号光のうちの一方の信号光の光軸方向を、他方の信号光の光軸方向に転向して、前記第１の信号光及び前記第２の信号光を多重化する多重化手段と、
該多重化手段により多重化された前記第１の信号光及び前記第２の信号光の出力、並びに第３の信号光及び第４の信号光の入力のための第２の入出力部と、
該第２の入出力部に入力された第４の信号光を受光する受光素子とを備え、
前記多重化手段は、第３の信号光及び第４の信号光のうちのいずれか一方又は両方の信号光の光軸方向を転向して、前記第３の信号光及び前記第４の信号光を分離するとともに、分離した第３の信号光が前記第１の入出力部へ導光されるように構成されており、
分離された第４の信号光が前記受光素子に受光されるように、前記第４の信号光の光軸方向を転向する手段
をさらに備えることを特徴とする光モジュール。
【請求項５】
前記多重化手段は、前記一方の信号光を反射するとともに、前記他方の信号光を透過させる特性を有するＷＤＭフィルタであること
を特徴とする請求項１乃至請求項４のいずれかに記載の光モジュール。
【発明の詳細な説明】
【技術分野】
【０００１】
本発明は、波長分割多重を利用した光通信に好適な光モジュールに関し、より具体的には、従来より小型かつ低価格で汎用性に優れた光モジュールに関する。
【背景技術】
【０００２】
光通信分野では、異なる波長の光を利用して複数のチャネルに同時に伝送する波長分割多重（ＷＤＭ）通信が利用されている（例えば、特許文献１参照。）。ＦＴＴＨでは、波長分割多重通信を利用して、通信用チャネルとＣＡＴＶ用チャネルを１本の光ファイバに集約することが可能となる。
【０００３】
近年、ＦＴＴＨを実現する方法として、ローカルループ向けの光技術であるＰＯＮ（Passive Optical Network）システムが提案されている。ＰＯＮシステムを用いることの最大の利点はパフォーマンスの大幅な向上であるが、ＰＯＮを導入するためには光ファイバが必要となる。通信に利用する波長帯域としては、局から加入者宅への信号に１４９０ｎｍ帯の波長が用いられ、加入者宅から局へは１３１０ｎｍ帯の波長が用いられている。さらに局から加入者宅へは１５５０ｎｍ帯を利用した映像コンテンツなどの付加サービスも考えられている。
【特許文献１】特開２００３−２４９９０１号公報
【発明の開示】
【発明が解決しようとする課題】
【０００４】
しかしながら、従来の光モジュールにおいては、伝送される信号光の波長が異なるという点以外は同じような特性で利用されるため、図５に示すようにレーザダイオード（ＬＤ）１０１とは別体のＷＤＭフィルタを搭載した光合分岐装置１０２を用いて信号光を多重化していた。このため、光合分岐装置１０２を配置するための領域を確保しなげればならないとともに、コネクタ１０３及び光ファイバ１０４ａ，１０４ｂを用いて、ＬＤ１０１と光合分岐装置１０２とを接続する必要があった。また、光合分岐装置１０２の校正方法によっては、十分なアイソレーションが確保できない虞があった。なお、コネクタ１０３の代わりに光ファイバ１０４ａ，１０４ｂを融着接続するようにしてもよいが、融着接続の場合には接続用の道具及び技術が必要である。
【０００５】
特に、最近のホームユースにおけるインターネットの急激な普及により、個人利用者が従来のメタル通信から光通信へ移行するケースが多い。したがって、個人利用者への光通信の普及を考える場合、加入者宅に接続する回線に使用される光送受信装置、すなわち、そのコアとなる光モジュールには小型で低価格なものが要求される。
【０００６】
本発明は斯かる事情に鑑みてなされたものであり、発光素子から発光された第１の信号光及び入力部に入力された第２の信号光のうちの一方の信号光の光軸方向を、他方の信号光の光軸方向に転向されることで、両信号光が多重化されて出力部から出力する構成とすることにより、従来より小型かつ低コストの構成であっても、第１の信号光と第２の信号光とを多重化することができる光モジュールの提供を目的とする。
【０００７】
また本発明は、発光素子から発光された第１の信号光及び入力部に入力された第２の信号光のうちの一方の信号光の光軸方向を、他方の信号光の光軸方向に転向されることで、両信号光が多重化されて入出力部から出力されるとともに、入出力部に入力された第３の信号光が、受光素子にて受光されるように、その光軸方向を転向される構成とすることにより、従来より小型かつ低コストの構成であっても、第１の信号光と第２の信号光とを多重化して送信できるとともに、第３の信号光を受光素子にて受光、すなわち受信することができる光モジュールの提供を目的とする。
【０００８】
さらに本発明は、発光素子から発光された第１の信号光及び第１の入出力部に入力された第２の信号光のうちの一方の信号光の光軸方向を、他方の信号光の光軸方向に転向されることで、両信号光が多重化されて第２の入出力部から出力されるとともに、第２の入出力部に入力された第３の信号光を第１の入出力部へ導光される構成とすることにより、第１の信号光と第２の信号光とを多重化して送信できるとともに、第３の信号光を該第３の信号光が入力された入出力部とは異なる入出力部から送信することができる光モジュールの提供を目的とする。
【０００９】
さらにまた本発明は、発光素子から発光された第１の信号光及び入力部に入力された第２の信号光のうちの一方の信号光の光軸方向を、他方の信号光の光軸方向に転向されることで、両信号光が多重化されて第２の入出力部から出力されるとともに、第２の入出力部に入力された第３の信号光及び第４の信号光を分離して、第３の信号光を第１の入出力部へ導光し、第４の信号光が受光素子にて受光されるように、その光軸方向を転向される構成とすることにより、第１の信号光と第２の信号光とを多重化して送信できるとともに、第３の信号光を該第３の信号光が入力された入出力部とは異なる入出力部から送信し、かつ第４の信号光を受光素子にて受光、すなわち受信することができる光モジュールの提供を目的とする。
【課題を解決するための手段】
【００１０】
第１発明に係る光モジュールは、波長の異なる複数の信号光を多重化する光モジュールにおいて、第１の信号光を発光する発光素子と、第２の信号光を入力する入力部と、前記発光素子から発光された第１の信号光及び前記入力部に入力された第２の信号光のうちの一方の信号光の光軸方向を、他方の信号光の光軸方向に転向して、前記第１の信号光及び前記第２の信号光を多重化する多重化手段と、該多重化手段により多重化された前記第１の信号光及び前記第２の信号光を出力する出力部とを備えることを特徴とする。
【００１１】
第１発明にあっては、多重化手段によって、発光素子から発光された第１の信号光及び入力部に入力された第２の信号光のうちの一方の光軸方向が、他方の光軸方向に転向され、両信号光が多重化されて出力部から出力する。よって、一方の信号光の光軸方向を転向することにより多重化する機能を有する多重化手段を光モジュールに備えるようにしたことから、構成より小型化かつ低コスト化を図れる。
【００１２】
第２発明に係る光モジュールは、波長の異なる複数の信号光を多重化する光モジュールにおいて、第１の信号光を発光する発光素子と、第２の信号光を入力する入力部と、前記発光素子から発光された第１の信号光及び前記入力部に入力された第２の信号光のうちの一方の信号光の光軸方向を、他方の信号光の光軸方向に転向して、前記第１の信号光及び前記第２の信号光を多重化する多重化手段と、該多重化手段により多重化された前記第１の信号光及び前記第２の信号光の出力、並びに第３の信号光の入力のための入出力部と、該入出力部に入力された第３の信号光を受光する受光素子と、前記入出力部に入力された第３の信号光が前記受光素子に受光されるように、前記第３の信号光の光軸方向を転向する手段とを備えることを特徴とする。
【００１３】
第２発明にあっては、発光素子から発光された第１の信号光及び入力部に入力された第２の信号光のうちの一方の光軸方向が、他方の光軸方向に転向され、両信号光が多重化されて出力部から出力する。また、入出力部に入力された第３の信号光の光軸方向を転向して、受光素子に受光されるようにする。よって、一方の信号光の光軸方向を転向することにより多重化する機能を有する多重化手段と、第３の信号光の光軸方向を転向する機能を有する手段とを光モジュールに備えるようにしたことから、構成より小型化かつ低コスト化を図れるとともに、第３の信号光を受光素子にて受光する、すなわち、信号光に係る情報を受信することが可能となる。
【００１４】
第３発明に係る光モジュールは、波長の異なる複数の信号光を多重化する光モジュールにおいて、第１の信号光を発光する発光素子と、第２の信号光の入力及び第３の信号光の出力のための第１の入出力部と、前記発光素子から発光された第１の信号光及び前記第１の入出力部に入力された第２の信号光のうちの一方の信号光の光軸方向を、他方の信号光の光軸方向に転向して、前記第１の信号光及び前記第２の信号光を多重化する多重化手段と、該多重化手段により多重化された前記第１の信号光及び前記第２の信号光の出力、並びに第３の信号光の入力のための第２の入出力部とを備え、前記多重化手段は、前記第２の入出力部に入力された第３の信号光を前記第１の入出力部へ導光するように構成されていることを特徴とする。
【００１５】
第３発明にあっては、発光素子から発光された第１の信号光及び第１の入出力部に入力された第２の信号光のうちの一方の光軸方向が、他方の光軸方向に転向され、両信号光が多重化されて第２の入出力部から出力する。また、第２の入出力部に入力された第３の信号光は第１の入出力部へ導光される。よって、一方の信号光の光軸方向を転向することにより多重化するとともに、第３の信号光が入力された入出力部とは異なる入出力部から、該第３の信号光を送信する機能を有する多重化手段を光モジュールに備えるようにしたことから、第１の信号光と第２の信号光とを多重化して送信できるとともに、第３の信号光を該第３の信号光が入力された入出力部とは異なる入出力部から送信することが可能となる。
【００１６】
第４発明に係る光モジュールは、波長の異なる複数の信号光を多重化する光モジュールにおいて、第１の信号光を発光する発光素子と、第２の信号光の入力及び第３の信号光の出力のための第１の入出力部と、前記発光素子から発光された第１の信号光及び前記第１の入出力部に入力された第２の信号光のうちの一方の信号光の光軸方向を、他方の信号光の光軸方向に転向して、前記第１の信号光及び前記第２の信号光を多重化する多重化手段と、該多重化手段により多重化された前記第１の信号光及び前記第２の信号光の出力、並びに第３の信号光及び第４の信号光の入力のための第２の入出力部と、該第２の入出力部に入力された第４の信号光を受光する受光素子とを備え、前記多重化手段は、第３の信号光及び第４の信号光のうちのいずれか一方又は両方の信号光の光軸方向を転向して、前記第３の信号光及び前記第４の信号光を分離するとともに、分離した第３の信号光が前記第１の入出力部へ導光されるように構成されており、分離された第４の信号光が前記受光素子に受光されるように、前記第４の信号光の光軸方向を転向する手段をさらに備えることを特徴とする。
【００１７】
第４発明にあっては、発光素子から発光された第１の信号光及び入力部に入力された第２の信号光のうちの一方の光軸方向が、他方の光軸方向に転向され、両信号光が多重化されて第２の入出力部から出力する。また、第２の入出力部に入力された第３の信号光及び第４の信号光は分離されて、第３の信号光が第１の入出力部へ導光し、第４の信号光の光軸方向を転向して、受光素子にて受光されるようにする。よって、一方の信号光の光軸方向を転向することにより多重化するとともに、第３の信号光が入力された入出力部とは異なる入出力部から、該第３の信号光を送信する機能を有する多重化手段と、第４の信号光の光軸方向を転向する機能を有する手段とを光モジュールに備えるようにしたことから、第１の信号光と第２の信号光とを多重化して送信できるとともに、第３の信号光を該第３の信号光が入力された入出力部とは異なる入出力部から送信し、第４の信号光を受光素子にて受光する、すなわち、信号光に係る情報を受信することが可能となる。
【００１８】
第５発明に係る光モジュールは、第１発明乃至第４発明のいずれかにおいて、前記多重化手段は、前記第２の信号光を反射するとともに、前記第１の信号光を透過させる特性を有するＷＤＭフィルタであることを特徴とする。
【００１９】
第５発明にあっては、多重化手段として、第２の信号光を反射し、第１の信号光を透過させる特性を有するＷＤＭフィルタを用いる。よって、発光素子から発光された第１の信号光は、ＷＤＭフィルタを透過して、その光軸方向が転向されることなく出力部（入出力部）へ導光され、一方、第２の信号光は、ＷＤＭフィルタで反射され、その光軸方向が転向されて出力部（入出力部）へ導光される。ＷＤＭフィルタは、誘電体多層膜からなり、誘電体多層膜の屈折率及び膜厚の組み合わせを変えることによって、少ない損失で波長の多重化と分離化が可能である。
【発明の効果】
【００２０】
本発明によれば、第２の信号光の光軸方向が、発光素子から発光された第１の信号光の光軸方向に転向されることで、両信号光が多重化されて出力部から出力する構成とすることにより、第１の信号光と第２の信号光とを多重化することができる。この結果、従来より小型かつ低コストの構成であっても、波長の異なる複数の信号光の多重化を行える光モジュールを実現することができる。
【００２１】
また本発明によれば、第２の信号光の光軸方向が、発光素子から発光された第１の信号光の光軸方向に転向され、両信号光が多重化されて入出力部から出力するとともに、入出力部に入力された第３の信号光が、受光素子にて受光できるように、その光軸方向を転向される構成とすることにより、第１の信号光と第２の信号光とを多重化して送信することができるとともに、第３の信号光に係る情報を受信することができる。この結果、従来より小型かつ低コストの構成であっても、信号光の双方向通信を行える光モジュールを実現することができる。
【００２２】
さらに本発明によれば、第２の信号光の光軸方向が、発光素子から発光された第１の信号光の光軸方向に転向され、両信号光が多重化されて入出力部から出力するとともに、第２の入出力部に入力された第３の信号光を第１の入出力部へ導光される構成とすることにより、第１の信号光と第２の信号光とを多重化して送信することができるとともに、第３の信号光を該第３の信号光が入力された入出力部とは異なる入出力部から送信することができる。
【００２３】
さらにまた本発明によれば、第２の信号光の光軸方向が、発光素子から発光された第１の信号光の光軸方向に転向され、両信号光が多重化されて入出力部から出力するとともに、第２の入出力部に入力された第３の信号光及び第４の信号光を分離して、第３の信号光を第１の入出力部へ導光し、第４の信号光が受光素子にて受光されるように、その光軸方向を転向される構成とすることにより、第１の信号光と第２の信号光とを多重化して送信することができるとともに、第３の信号光を該第３の信号光が入力された入出力部とは異なる入出力部から送信し、かつ第４の信号光を受信することができる等、優れた効果を奏する。
【発明を実施するための最良の形態】
【００２４】
以下、本発明をその実施の形態を示す図面に基づいて詳述する。
【００２５】
（実施の形態１）
図１は本発明の実施の形態１に係る光モジュールを示す模式図である。
本発明の実施の形態１に係る光モジュール１は、筐体１０の内部に、ＬＤ１１、ＷＤＭフィルタ１２、カットオフフィルタ１３、レンズ１４，１５を備え、筐体１０の表側に、光入力部１６、光出力部１７を備える。筐体１０の形状は特に限定されないが、以下、直方体であるものとして説明する。
【００２６】
ＬＤ１１は、レーザダイオードのような電気信号を信号光に変換するデバイスであり、筐体１０の一の面（ここでは下面）に設けられたステム１０ａ上に配置されている。ＬＤ１１の光出射面側に、出射光を集光するレンズ１４が配置されており、レンズ１４によって、ＬＤ１１の出射光が光出力部１７に含まれるファイバコアに集束するように変換される（以下、平行光という）。
【００２７】
光入力部１６はフェルールであり、ＬＤ１１が配置された面とは異なる面（ここでは左面）に配置されている。光入力部１６には光ファイバ１８が接続され、光入力部１６からの出射光は、光入力部１６の光出射面側に配置されたレンズ１５によって、平行光に変換される。
【００２８】
筐体１０が直方体であることから、ＬＤ１１の出射光と光入力部１６からの出射光との交差角度は、９０°であり、ＬＤ１１の出射光と光入力部１６からの出射光とが交差する位置に、その入射面がＬＤ１１の出射光及び光入力部１６からの出射光のそれぞれに対して４５°となるように、偏平状のＷＤＭフィルタ１２が配置されている。
【００２９】
ＷＤＭフィルタ１２は、誘電体多層膜からなり、ＬＤ１１の出射光の波長λ１と光入力部１６からの出射光の波長λ２とを分離する機能を有している。誘電体多層膜の屈折率及び膜厚の組み合わせを変えることによって、反射係数と透過係数とに、波長依存性を持たせることができる。一般的には、屈折率の高い材料と低い材料とを交互に積層することによって、所望の波長λ１とλ２とを分離することが可能である。こうして、波長λ１の光はＷＤＭフィルタ１２を透過し、波長λ２の光はＷＤＭフィルタ１２によって反射される。すなわち、波長λ２の光の光軸方向は、ＷＤＭフィルタ１２によって、波長λ１の光の光軸方向に転向される。
【００３０】
レンズ１５とＷＤＭフィルタ１２との間には、カットオフフィルタ１３が配置されており、カットオフフィルタ１３によって、ＷＤＭフィルタ側からレンズ方向に進行する光のうち、波長λ１の光を反射する。これにより、ＬＤ１１の出射光の波長成分が、光入力部１６からの出射光に弊害を及ぼすことはない。カットオフフィルタ１３は、波長λ１，λ２に基づいて、ダイクロイックフィルタ、又はロングパスフィルタ，ショートパスフィルタを適宜選択すればよい。もちろん、カットオフフィルタの代わりに、ファラデー効果を利用した偏波面回転子を用いた光アイソレータを設けるようにしてもよい。
【００３１】
以上のような構成により、ＬＤ１１の出射光（波長λ１）は、レンズ１４によって平行光に変換され、ＷＤＭフィルタ１２へ導光される。ＷＤＭフィルタ１２に導光されたＬＤ１１の出射光は、ＷＤＭフィルタ１２を透過し、その進行方向を変えることなく光出力部１７へ導光される（同図、破線Ｌ１で示す）。
【００３２】
一方、光入力部１６からの出射光（波長λ２）は、レンズ１５によって平行光に変換され、ＷＤＭフィルタ１２へ導光される。ＷＤＭフィルタ１２に導光された光入力部１６からの出射光は、ＷＤＭフィルタ１２で反射され、その進行方向を９０°変えて光出力部１７へ導光される（同図、一点鎖線Ｌ２で示す）。
【００３３】
また、ＷＤＭフィルタ１２では、ＬＤ１１の出射光の波長λ１成分と、光入力部１６からの出射光の波長λ２成分とが混合され、すなわち多重化されて光出力部１７へ導光される。したがって、ＬＤ１１の出射光と光入力部１６からの出射光とが、筐体１０内に設けたＷＤＭフィルタ１２によって多重化されるため、従来のようにＬＤと光合分岐装置とを接続するためのコネクタ及び光ファイバが不要となり、極めて小型で低価格であるにもかかわらず、多重化された信号光を送信することができる光モジュールとなる。
【００３４】
さらに、ＷＤＭフィルタを設ける毎に光軸に対するアライメント精度が要求されるが、従来のインライン型のＷＤＭフィルタを利用する場合には、設置場所、作業者間によって、その精度がばらついていた。しかし、本発明の光モジュール１はＷＤＭフィルタが内蔵されているため、設置技術が不要であるとともに、従来より小型かつ低コストの構成であっても、２つの信号光を多重化することが可能となる。
なお、波長λ２の損失や他波長成分が性能上許容される場合には、レンズ１５及びカットオフフィルタ１３は省略することができる。また、光学結合の向上を図るために光出力部１７の前にレンズを設けるようにしてもよい。
【００３５】
（実施の形態２）
図２は本発明の実施の形態２に係る光モジュールを示す模式図である。
本発明の実施の形態２に係る光モジュール２は、筐体２０の内部に、ＬＤ１１、ＰＤ２１、ＷＤＭフィルタ１２，２２、カットオフフィルタ１３，２３、レンズ１４，１５，２４を備え、筐体２０の表側に、光入力部１６、光入出力部２５を備える。筐体２０の形状は特に限定されないが、実施の形態１と同様、直方体であるものとして説明する。
【００３６】
ＰＤ２１は、フォトダイオードのような信号光を電気信号に変換するデバイスであり、ＬＤ１１が配置された面とは異なる面（ここでは右面）に配置されている。ＰＤ２１の光入射面側に、平行光である入射光を集光するレンズ２４が配置されており、入射光は、レンズ２４によってＰＤ２１の受光面に集束させられる。
【００３７】
筐体２０が直方体であることから、ＬＤ１１の出射光とＰＤ２１への入射光との交差角度は、９０°であり、ＬＤ１１の出射光とＰＤ２１への入射光とが交差する位置に、その入射面がＬＤ１１の出射光及びＰＤ２１への入射光のそれぞれに対して４５°となるように、偏平状のＷＤＭフィルタ２２が配置されている。
【００３８】
ＷＤＭフィルタ２１は、上述したＷＤＭフィルタ１２とは異なり、ＬＤ１１の出射光の波長λ１とＰＤ２１への入射光の波長λ３とを分離する機能を有している。より具体的には、波長λ１の光はＷＤＭフィルタ２２を透過し、波長λ３の光はＷＤＭフィルタ２２によって反射される。すなわち、波長λ３の光は、ＷＤＭフィルタ２２によって、ＰＤ２１に受光されるように、その光軸方向が転向される。
【００３９】
レンズ２４とＷＤＭフィルタ２２との間には、カットオフフィルタ２３が配置されており、カットオフフィルタ２３によって、ＷＤＭフィルタ２２側からレンズ２４方向に進行する光のうち、波長λ１の光を反射する。これにより、ＬＤ１１の出射光の波長成分が、ＰＤ２１の受光面に入射して、ビット誤りが発生するような弊害を及ぼすことはない。カットオフフィルタ２３は、波長λ１，λ３に基づいて、ダイクロイックフィルタ、又はロングパスフィルタ，ショートパスフィルタを適宜選択すればよい。
【００４０】
もちろん、カットオフフィルタの代わりに光アイソレータを設けるようにしてもよい。さらに、波長λ２の光を反射するようにして、光入力部１６からの出射光の波長成分が、ＰＤ２１の受光面に入射することを防止するようにしてもよい。その他の構成は図１と同様であるので、対応する部分には同一の符号を付してその詳細な説明を省略する。
【００４１】
以上のような構成により、ＬＤ１１の出射光（波長λ１）は、レンズ１４によって平行光に変換され、ＷＤＭフィルタ２２へ導光される。ＷＤＭフィルタ２２に導光されたＬＤ１１の出射光は、ＷＤＭフィルタ２２を透過し、その進行方向を変えることなくＷＤＭフィルタ１２へ導光される。ＷＤＭフィルタ１２に導光されたＬＤ１１の出射光は、ＷＤＭフィルタ１２を透過し、その進行方向を変えることなく光入出力部２５へ導光される（同図、破線Ｌ１で示す）。
【００４２】
一方、光入力部１６からの出射光（波長λ２）は、レンズ１５によって平行光に変換され、ＷＤＭフィルタ１２へ導光される。ＷＤＭフィルタ１２に導光された光入力部１６からの出射光は、ＷＤＭフィルタ１２で反射され、その進行方向を９０°変えて光入出力部２５へ導光される（同図、一点鎖線Ｌ２で示す）。
【００４３】
また、光入出力部２５に入射された入射光（波長λ３）は、ＷＤＭフィルタ１２を通過し、その進行方向を変えることなくＷＤＭフィルタ２２へ導光される。ＷＤＭフィルタ２２に導光された入射光は、ＷＤＭフィルタ２２で反射され、その進行方向を９０°変えてカットオフフィルタ２３へ導光される。カットオフフィルタ２３に導光された入射光は、レンズ２４によってＰＤ２１の受光面に集束させられる（同図、二点鎖線Ｌ３で示す）。
【００４４】
このようにして、光ファイバから光入出力部２５に入射された信号光は、ＰＤ２１にて電気信号に変換されることで、信号光に係る情報を受信することが可能となる。また、実施の形態１と同様に、ＷＤＭフィルタ１２では、ＬＤ１１の出射光の波長λ１成分と、光入力部１６からの出射光の波長λ２成分とが多重化されて光入出力部２５へ導光される。加えて、ＷＤＭフィルタ２２では、光入出力部２５に入射された信号光が分離されて受信部であるＰＤ２１へ導光される。したがって、極めて小型で低価格であるにもかかわらず、双方向通信が可能な光モジュールとなる。なお、波長λ２の損失や他波長成分が性能上許容される場合には、レンズ１５及びカットオフフィルタ１３は省略することができる。また、光学結合の向上を図るために光入出力部２５の前にレンズを設けるようにしてもよい。
【００４５】
（実施の形態３）
図３は本発明の実施の形態３に係る光モジュールを示す模式図である。
本発明の実施の形態３に係る光モジュール３は、筐体３０の内部に、ＬＤ１１、ＷＤＭフィルタ１２、カットオフフィルタ１３、レンズ１４，１５を備え、筐体３０の表側に、光入出力部３１，３２を備える。筐体３０の形状は特に限定されないが、実施の形態１と同様、直方体であるものとして説明する。
【００４６】
本実施形態において、光入出力部３１は、波長λ２成分の信号光が入力され、かつ波長λ４成分の信号光が出力される。光入出力部３２は、波長λ４成分の信号光が入力され、かつ波長λ１成分の信号光と波長λ２成分の信号光とが多重化されて出力される。
【００４７】
ＷＤＭフィルタ１２は、ＬＤ１１の出射光の波長λ１成分、及び光入出力部３１からの出射光の波長λ２成分を多重化する多重化機能と、光入出力部３２に入力された波長λ４成分の信号光を光入出力部３１方向に転向する機能とを兼用する。それぞれの機能を実現すべく、ＷＤＭフィルタ１２は、波長λ２成分の信号光と波長λ４成分の信号光とを反射し、波長λ１成分の信号光を透過するように構成されている。その他の構成は図１，２と同様であるので、対応する部分には同一の符号を付してその詳細な説明を省略する。
【００４８】
以上のような構成により、ＬＤ１１の出射光（波長λ１）は、レンズ１４によって平行光に変換され、ＷＤＭフィルタ１２へ導光される。ＷＤＭフィルタ１２に導光されたＬＤ１１の出射光は、ＷＤＭフィルタ１２を透過し、その進行方向を変えることなく光入出力部３２へ導光される（同図、破線Ｌ１で示す）。
【００４９】
一方、光入出力部３１からの出射光（波長λ２）は、レンズ１５によって平行光に変換され、ＷＤＭフィルタ１２へ導光される。ＷＤＭフィルタ１２に導光された光入出力部３１からの出射光は、ＷＤＭフィルタ１２で反射され、その進行方向を９０°変えて光入出力部３２へ導光される（同図、一点鎖線Ｌ２で示す）。
【００５０】
また、光入出力部３２に入射された入射光（波長λ４）は、ＷＤＭフィルタ１２で反射され、その進行方向を９０°変えてカットオフフィルタ１３へ導光される。カットオフフィルタ１３に導光された入射光は、レンズ１５を介して光入出力部３１へ導光される（同図、実線Ｌ４で示す）。
【００５１】
このようにして、実施の形態１の効果に加えて、一方の光入出力部３２に入射された信号光は、他方の光入出力部３１から出力されて、信号光に係る情報を送信（転送）することが可能となる。
【００５２】
（実施の形態４）
図４は本発明の実施の形態４に係る光モジュールを示す模式図である。
本発明の実施の形態４に係る光モジュール４は、筐体４０の内部に、ＬＤ１１、ＰＤ２１、ＷＤＭフィルタ１２，２２、カットオフフィルタ１３，２３、レンズ１４，１５，２４を備え、筐体４０の表側に、光入出力部３１，４１を備える。筐体４０の形状は特に限定されないが、実施の形態１と同様、直方体であるものとして説明する。
【００５３】
本実施形態において、光入出力部４１は、波長λ３成分の信号光と波長λ４成分の信号光とが多重化されて入力され、かつ波長λ１成分の信号光と波長λ２成分の信号光とが多重化されて出力される。
【００５４】
ＷＤＭフィルタ１２は、ＬＤ１１の出射光の波長λ１成分、及び光入出力部３１からの出射光の波長λ２成分を多重化する多重化機能と、光入出力部４１に入力された信号光を波長λ３成分の信号光及び波長λ４成分の信号光に分離する分離機能とを兼用する。それぞれの機能を実現すべく、ＷＤＭフィルタ１２は、波長λ２成分の信号光と波長λ４成分の信号光とを反射し、波長λ１成分の信号光と波長λ３成分の信号光とを透過するように構成されている。その他の構成は図１，２，３と同様であるので、対応する部分には同一の符号を付してその詳細な説明を省略する。
【００５５】
以上のような構成により、ＬＤ１１の出射光（波長λ１）は、レンズ１４によって平行光に変換され、ＷＤＭフィルタ２２へ導光される。ＷＤＭフィルタ２２に導光されたＬＤ１１の出射光は、ＷＤＭフィルタ２２を透過し、その進行方向を変えることなくＷＤＭフィルタ１２へ導光される。ＷＤＭフィルタ１２に導光されたＬＤ１１の出射光は、ＷＤＭフィルタ１２を透過し、その進行方向を変えることなく光入出力部４１へ導光される（同図、破線Ｌ１で示す）。
【００５６】
一方、光入出力部３１からの出射光（波長λ２）は、レンズ１５によって平行光に変換され、ＷＤＭフィルタ１２へ導光される。ＷＤＭフィルタ１２に導光された光入出力部３１からの出射光は、ＷＤＭフィルタ１２で反射され、その進行方向を９０°変えて光入出力部４１へ導光される（同図、一点鎖線Ｌ２で示す）。
【００５７】
また、光入出力部４１に入射された入射光（波長λ３）は、ＷＤＭフィルタ１２を通過し、その進行方向を変えることなくＷＤＭフィルタ２２へ導光される。ＷＤＭフィルタ２２に導光された入射光は、ＷＤＭフィルタ２２で反射され、その進行方向を９０°変えてカットオフフィルタ２３へ導光される。カットオフフィルタ２３に導光された入射光は、レンズ２４によってＰＤ２１の受光面に集束させられる（同図、二点鎖線Ｌ３で示す）。
【００５８】
さらに、光入出力部４１に入射された入射光（波長λ４）は、ＷＤＭフィルタ１２で反射され、その進行方向を９０°変えてカットオフフィルタ１３へ導光される。カットオフフィルタ１３に導光された入射光は、レンズ１５を介して光入出力部３１へ導光される（同図、実線Ｌ４で示す）。
【００５９】
このようにして、実施の形態２の効果に加えて、一方の光入出力部４１に入射された、多重化された信号光は分離されて、一方の信号光は、ＰＤ２１にて電気信号に変換されることで、信号光に係る情報を受信することが可能となるとともに、他方の信号光は、他方の光入出力部３１から出力されて、信号光に係る情報を送信（転送）することが可能となる。
【００６０】
また、図４においては、光入出力部４１に入力された信号光（波長λ３及びλ４）は、先ずＷＤＭフィルタ１２で信号光の分離と、信号光（波長λ４）の転向とがなされ、次に、ＷＤＭフィルタ２２で信号光（波長λ３）の転向がなされる形態を示している。光入出力部３１及びＰＤ２１の位置関係と、ＷＤＭフィルタ１２及び２２の位置関係とを入れ替えて、先ずＷＤＭフィルタ２２で信号光の分離と、信号光（波長λ３）の転向とがなされ、次に、ＷＤＭフィルタ１２で信号光（波長λ４）の転向がなされるようにしてもよいことはもちろんである。
【００６１】
なお、各実施形態では、光入力部１６，光入出力部３１からの出射光（波長λ２）の光軸方向が、ＷＤＭフィルタ１２によって、ＬＤ１１の出射光（波長λ１）の光軸方向に転向される形態を示したが、ＬＤ１１の出射光（波長λ１）の光軸方向が、光入力部１６，光入出力部３１からの出射光（波長λ２）の光軸方向に転向するようにしてもよい。その場合には、波長λ２の光を透過し、波長λ１の光を反射する材料のＷＤＭフィルタ１２を適宜利用すればよい。
【図面の簡単な説明】
【００６２】
【図１】本発明の実施の形態１に係る光モジュールを示す模式図である。
【図２】本発明の実施の形態２に係る光モジュールを示す模式図である。
【図３】本発明の実施の形態３に係る光モジュールを示す模式図である。
【図４】本発明の実施の形態４に係る光モジュールを示す模式図である。
【図５】波長分割多重通信の概要を示す概要図である。
【符号の説明】
【００６３】
１，２，３，４  光モジュール
１０，２０，３０，４０  筐体
１１  ＬＤ
１２，２２  ＷＤＭフィルタ
１３，２３  カットオフフィルタ
１４，１５，２４  レンズ
１６  光入力部
１７  光出力部
２１  ＰＤ
２５，３１，３２，４１  光入出力部
【図１】
2005316291.tif 000003
【図２】
2005316291.tif 000004
【図３】
2005316291.tif 000005
【図４】
2005316291.tif 000006
【図５】
2005316291.tif 000007